(57)【要約】【課題】肌をより効果的に温め血行を良くすることができるフェイスマスクを提供する。【解決手段】フェイスマスク１０は、目の部分が開口されている第１の開口部１０ａと、鼻の部分が開口されている第２の開口部１０ｂと、口の部分が開口されている第３の開口部１０ｃを有し、顔面を全体的に覆うように１３００℃以上の高温で燃焼された籾殻から抽出された粉末状の植物性ブラックケイ素が、含有、含浸または付着されている植物性ブラックケイ素シートＳを用いて構成されている。【選択図】図１
2019042250.tif 000002
【特許請求の範囲】
【請求項１】
目の部分が開口されている第１の開口部と、鼻の部分が開口されている第２の開口部と、口の部分が開口されている第３の開口部を有し、顔面を全体的に覆うように、シート状の部材で形成されているフェイスマスクであって、
前記シート状の部材は、１３００℃以上の高温で燃焼された籾殻から抽出された粉末状の植物性ブラックケイ素が、含有、含浸または付着されている植物性ブラックケイ素シートであることを特徴とするフェイスマスク。
【請求項２】
前記シート状の部材は、シート状の不織布、織物または編物を素材としていることを特徴とする請求項１に記載のフェイスマスク。
【請求項３】
前記シート状の部材は、美容液が含浸されていることを特徴とする請求項１または請求項２に記載のフェイスマスク。
【発明の詳細な説明】
【技術分野】
【０００１】
本発明は、フェイスマスクに関する。
【背景技術】
【０００２】
従来、紙類や布などで形成されたフェイスマスクが普及していており、水性、油性の美容液を含浸でき肌触りや肌との密着性に関するものが開示されている（特許文献１参照）。
【先行技術文献】
【特許文献】
【０００３】
【特許文献１】特開２００６−２８８６０４号公報
【発明の概要】
【発明が解決しようとする課題】
【０００４】
上記の水性、油性の液状化合物を含浸でき肌触りや肌との密着性を有するフェイスマスクにおいて、肌を効果的に温め血行を良くするという観点において十分なものではなかった。
【０００５】
本発明は、こうした点に鑑みてなされたものであり、肌を効果的に温め血行を良くすることができるフェイスマスクを提供することである。
【課題を解決するための手段】
【０００６】
上記課題を解決するために、本発明に係るフェイスマスクは、目の部分が開口されている第１の開口部と、鼻の部分が開口されている第２の開口部と、口の部分が開口されている第３の開口部を有し、顔面を全体的に覆うように、シート状の部材で形成されているフェイスマスクであって、前記シート状の部材は、１３００℃以上の高温で燃焼された籾殻から抽出された粉末状の植物性ブラックケイ素が、含有、含浸または付着されている植物性ブラックケイ素シートであることを特徴とする。
【０００７】
本発明に係るフェイスマスクの態様について、前記シート状の部材は、シート状の不織布、織物または編物を素材としていることが好ましい。
【０００８】
本発明に係るフェイスマスクの態様について、前記シート状の部材は、美容液が含浸されていることが好ましい。
【発明の効果】
【０００９】
本発明によれば、肌をより効果的に温め血行を良くすることができるフェイスマスクを提供することができる。
【図面の簡単な説明】
【００１０】
【図１】実施形態のフェイスマスクを示す模式図である。
【発明を実施するための形態】
【００１１】
以下、本発明のフェイスマスクに係る実施形態を、図１を用いて説明する。
【００１２】
まず、本発明に用いる１３００℃を超える高温で燃焼された籾殻から抽出された植物性ブラックケイ素について説明する。一般的に、籾殻を燃焼させることで植物性ケイ素を製造することができるが、従来、燃焼温度が略７００℃で行われており、この方法では、炭素との混合体が生成されてしまい、抽出された植物性ケイ素の純度が低いものとなり、品質が悪く利用価値がないという問題があった。
【００１３】
そこで、籾殻を、例えば、１３００℃以上の高温で燃焼させると、籾殻が完全燃焼し、籾殻に含まれる植物性ケイ素がアモルファス形状または多結晶となり、この結果、植物性ブラックケイ素となり、この植物性ブラックケイ素を連続的に生成することができ、高品質な植物性ブラックケイ素を大量に効率的に製造することが可能であることが分かった。
【００１４】
そして、このような方法で籾殻の燃焼状態及び燃焼温度を安定化させ、高品質な植物性ブラックケイ素を大量に効率的に製造することも可能になっている。本発明は、籾殻を１３００℃以上の高温で燃焼させることで製造された植物性ブラックケイ素に着目し、これを用いて製品の開発を行っているが、これは一例であり、燃焼の温度を限定せずに、適宜最適な燃焼温度で籾殻を燃焼させて植物性ブラックケイ素を製造すればよい。また、この例では、植物性ブラックケイ素を製造する原料として籾殻を用いているが、これは一例であり、籾殻以外の最適な原料を適宜用いて本発明に用いる植物性ブラックケイ素を製造するとよい。
【００１５】
このように本発明は、籾殻を１３００℃以上の高温で燃焼させることで製造された植物性ブラックケイ素に着目し、フェイスマスクとして使用することを具現化したものである。なお、籾殻の燃料温度を１３００℃以上としているが、純度のよいものを抽出するための高温であり、これに限定されず、例えば、籾殻の燃料温度を１３００℃以下としてもよく、適宜最適な燃焼温度に設定するとよい。
【００１６】
図１は、本発明の実施形態のフェイスマスク１０を示す模式図である。図１に示すように、フェイスマスク１０は、目の部分が開口されている第１の開口部１０ａと、鼻の部分が開口されている第２の開口部１０ｂと、口の部分が開口されている第３の開口部１０ｃを有しており、顔面を全体的に覆うようにシート状の部材で形成されている。なお、上記のフェイスマスク１０の構成は、一例であり、これに限定されず、一般的なフェイスマスクの構成であればよい。
【００１７】
フェイスマスク１０の構成部材であるシート状の部材は、上記の籾殻を１３００℃以上の高温で燃焼させることで製造された植物性ブラックケイ素に着目し、これを用いた構成としている。すなわち、シート状の部材は、本発明において、１３００℃以上の高温で燃焼された籾殻から抽出された粉末状の植物性ブラックケイ素が、含有、含浸または付着されている植物性ブラックケイ素シートＳとして構成されている。なお、植物性ブラックケイ素シートＳにおいて、上記の１３００℃以上の高温での籾殻の燃焼は、ケイ素の純度の高い植物性ブラックケイ素シートＳを形成する構成であるが、これに限定されず、上記のとおり籾殻の燃焼温度は、１３００℃以下でもよく、適宜最適な燃焼温度を設定すればよい。
【００１８】
上記のシート状の部材は、シート状の不織布、織物または編物を素材としてもよいが、この素材は、これに限定されず、紙、金属などを含み適宜最適なものを選択すればよい。また、このシート状の部材は、美容液が含浸されていてもよく、この美容液は、一般的に使用されているものであれば、特に限定することなく適宜最適なものを選択すればよい。なお、美容液は、種々開示されており、ここでは詳細な説明は省略する。また、この例では、シート状の部材に、あらかじめ美容液が含浸されている構成であるが、これに限定されず、フェイスマスク１０の使用者が、例えば、好みの美容液などを、使用前にこのフェイスマスク１０に含浸させるという使用方法でもよい。
【００１９】
このように本発明のフェイスマスク１０に用いることで、例えば、２６．５℃以上であれば、約４℃の温度上昇が見込まれるので、顕著な保温効果を期待することができ、また、このフェイスマスク１０を用いることで、人の発する波動と同期する、つまり近似している周波数の波動がでることより、保温効果、血流促進効果などが期待できる。また、フェイスマスク１０の効果として、肌荒れ防止、肌の若返りなどの顕著な効果を期待している。
【００２０】
上記のとおり、大量生産でき高純度の植物性ブラックケイ素に着目して開発した植物性ブラックケイ素シートＳは、フェイスマスク１０に用いられることで、保温、血流促進などの効果が期待できるものであるが、フェイスマスク１０に限定されず、他の用途に用いてもよい。
【００２１】
以上、本発明の有する特徴及び優れた点を上記実施形態に記載したが、本発明は、本願の特許請求の範囲で使用されている言葉を広く一般的な意味に拡張して実施することができる。また、本発明のフェイスマスクは、大きさ、形状、素材の種類、厚さ、重さなどについては多様な実施形態が可能であり、それらについて本実施形態と異なる形態による実施は、本発明の技術的範囲に含まれる。
【符号の説明】
【００２２】
１０    フェイスマスク
１０ａ    第１の開口部
１０ｂ    第２の開口部
１０ｃ    第３の開口部
Ｓ      植物性ブラックケイ素シート
【図１】
2019042250.tif 000003